(57)【特許請求の範囲】
【請求項１】
透液性の表面シートと、裏面シートと、前記表面シートと前記裏面シートとの間に介装される吸収体と、を有する吸収性本体を備え、前記裏面シートの外面を被着体に固定させて使用する吸収性物品において、
前記表面シートの外面には、前記吸収性本体の長手方向に沿ったギャザーが設けられ、
前記裏面シートの外面には、長手方向中央部を挟んで一方の領域及び他方の領域に、それぞれ、粘着剤が塗布された粘着部と離型処理された離型部とが交互に形成され、
前記吸収性本体は、
未使用時に、前記裏面シートが内側となるよう２つに折り曲げられ、前記一方の領域の前記粘着部と前記他方の領域の前記離型部とが対向して接触した状態とされ、
使用時に、対向した前記一方の領域と前記他方の領域とを展開させた場合、前記ギャザーにより前記表面シートが内側となるように付勢されることを特徴とする吸収性物品。
【請求項２】
前記吸収性本体の長手方向中央部の幅方向両端部に、円弧状の切り欠きが形成されていることを特徴とする請求項１に記載の吸収性物品。
【請求項３】
未使用時に前記吸収性本体を包装する包装シートを備え、
前記包装シートの長手方向端部は、前記表面シートに固定され、
前記包装シートには、長手方向に沿って弾性部材が設けられ、
前記吸収性本体を展開した場合、前記包装シートは前記弾性部材によって収縮して集約されることを特徴とする請求項１又は２に記載の吸収性物品。
【請求項４】
前記表面シートの長手方向端部は、前記包装シートの長手方向端部より外側に突出していることを特徴とする請求項３に記載の吸収性物品。
【請求項５】
前記包装シートは、撥水性を有することを特徴とする請求項３又は４に記載の吸収性物品。
【請求項６】
前記包装シートは、親水性を有することを特徴とする請求項３又は４に記載の吸収性物品。
【発明の詳細な説明】
【技術分野】
【０００１】
本発明は、吸収性物品に関する。
【背景技術】
【０００２】
従来、尿取りパッドや生理用ナプキンなどの吸収性物品が普及している。
こうした吸収性物品においては、透液性の表面シートと、裏面シートと、表面シートと裏面シートとの間に介装される吸収体と、を備え、裏面シートの外面を、粘着層等の固定部により着用者の下着やおむつ等に固定して使用する構成が知られている。
【０００３】
上記のように固定部として粘着層を用いた構成では、裏面シートの粘着層に剥離紙を貼着した状態で表面シートを内側に折り畳んで包装紙等に収納しておき、使用時において剥離紙を剥がして廃棄するのが一般的である。しかしながら、この場合には、使用時に剥離紙を剥がして廃棄するという手間がかかる。
そこで、表面シートを内側にして折り畳んだ吸収性物品の裏面シートの外面に、粘着領域と離型領域とを備え、同一の又は隣接する吸収性物品の粘着領域と離型領域とを対向させて収納することで剥離紙などを用いない構成とした吸収性物品が提案されている（例えば、特許文献１参照。）。
【先行技術文献】
【特許文献】
【０００４】
【特許文献１】特開２００３−１５９２６８号公報
【発明の概要】
【発明が解決しようとする課題】
【０００５】
しかしながら、特許文献１の吸収性物品は、吸収性物品に収納時の折りぐせが残るため、展開させても直ぐには水平とならず取り付け性が良好でないという問題があった。
また、特許文献１の吸収性物品は、同一の吸収性物品の粘着領域と離型領域とを対向させて収納する場合、即ち、１つずつ個別に包装する構成とする場合、四つ折りにする必要があるため、展開するのに手間がかかるという問題があった。
【０００６】
本発明の課題は、剥離紙を剥がし廃棄するという手間がなく、且つ使用に際して取り付け性が良好で展開する際の手間の少ない吸収性物品を提供することである。
【課題を解決するための手段】
【０００７】
前記課題を解決するために、請求項１に記載の発明は、
透液性の表面シートと、裏面シートと、前記表面シートと前記裏面シートとの間に介装される吸収体と、を有する吸収性本体を備え、前記裏面シートの外面を被着体に固定させて使用する吸収性物品において、
前記表面シートの外面には、前記吸収性本体の長手方向に沿ったギャザーが設けられ、
前記裏面シートの外面には、長手方向中央部を挟んで一方の領域及び他方の領域に、それぞれ、粘着剤が塗布された粘着部と離型処理された離型部とが交互に形成され、
前記吸収性本体は、
未使用時に、前記裏面シートが内側となるよう２つに折り曲げられ、前記一方の領域の前記粘着部と前記他方の領域の前記離型部とが対向して接触した状態とされ、
使用時に、対向した前記一方の領域と前記他方の領域とを展開させた場合、前記ギャザーにより前記表面シートが内側となるように付勢されることを特徴とする。
【０００８】
請求項２に記載の発明は、請求項１に記載の吸収性物品において、
前記吸収性本体の長手方向中央部の幅方向両端部に、円弧状の切り欠きが形成されていることを特徴とする。
【０００９】
請求項３に記載の発明は、請求項１又は２に記載の吸収性物品において、
未使用時に前記吸収性本体を包装する包装シートを備え、
前記包装シートの長手方向端部は、前記表面シートに固定され、
前記包装シートには、長手方向に沿って弾性部材が設けられ、
前記吸収性本体を展開した場合、前記包装シートは前記弾性部材によって収縮して集約されることを特徴とする。
【００１０】
請求項４に記載の発明は、請求項３に記載の吸収性物品において、
前記表面シートの長手方向端部は、前記包装シートの長手方向端部より外側に突出していることを特徴とする。
【００１１】
請求項５に記載の発明は、請求項３又は４に記載の吸収性物品において、
前記包装シートは、撥水性を有することを特徴とする。
【００１２】
請求項６に記載の発明は、請求項３又は４に記載の吸収性物品において、
前記包装シートは、親水性を有することを特徴とする。
【発明の効果】
【００１３】
本発明によれば、吸収性本体は、未使用時に、裏面シートが内側となるよう２つに折り曲げられ、一方の領域の粘着部と他方の領域の離型部とが対向して接した状態とされ、使用時に、対向した一方の領域と他方の領域とを展開させた場合、ギャザーにより表面シートが内側となるように付勢されることとなる。
このため、収容時には、対向する領域の粘着部と離型部とが互いに合致するため、剥離紙等の別部材を使用する必要がない。また、使用時には収容時の折りぐせと反対方向の付勢力によって展開するため、吸収性本体が水平になり易い。
また、吸収性本体は２つに折り曲げられた構成であるため、一箇所を開くだけで完全に展開することとなり、展開する際の手間が少ない。
よって、剥離紙を剥がし廃棄するという手間がなく、且つ使用に際して取り付け性が良好で展開する際の手間の少ない吸収性物品とすることができる。
【図面の簡単な説明】
【００１４】
【図１】第１実施形態の吸収性物品の装着時の状態の一例を示す斜視図である。
【図２】図１の吸収性物品の表面シート側の一例を示す平面展開図である。
【図３】図１の吸収性物品の裏面シート側の一例を示す平面展開図である。
【図４】図２のIV−IV部の一例を示す断面図である。
【図５】図１の吸収性物品の折り曲げた状態を示す斜視図である。
【図６】図１の吸収性物品を折り曲げた際の、粘着部及び離型部の状態を説明するための図である。
【図７】図１の吸収性物品の作用を説明するための模式図である。
【図８】第２実施形態の吸収性物品が収納された状態を示す斜視図である。
【図９】図８の吸収性物品の展開した状態を示す平面展開図である。
【図１０】図８の吸収性物品の使用時の状態を示す図である。
【発明を実施するための形態】
【００１５】
以下、図を参照して、本発明の実施の形態を詳細に説明する。ただし、発明の範囲は、図示例に限定されない。
なお、以下の本実施形態においては、吸収性物品として、使い捨て紙おむつなどの内部に備えて使用するインナーパッドを例示する。
また、以下の説明では、インナーパッドの長手方向をＸ方向、Ｘ方向と直交する方向（インナーパッドの幅方向）をＹ方向とする。
【００１６】
（第１実施形態）
本発明の第１実施形態について、図１〜図７に基づいて説明する。
【００１７】
先ず、構成について説明する。
インナーパッド１は、吸収性本体である本体部１０と、左右一対のギャザーシート２０、２０と等を備えて構成されている。
【００１８】
本体部１０は、人体との接触面側に設けられ、尿などの体液を速やかに透過させる透液性の表面シート１１と、人体との接触面と反対側に設けられる、不透液性の裏面シート１２と、これら表面シート１１と裏面シート１２との間に介装される吸収体１３等を備えて構成されている。
【００１９】
また、本体部１０においては、人体の股部を腹側から背側にかけて覆うように、一方の端部に腹側部１４が形成され、他方の端部に背側部１５が形成されている。また、腹側部１４と背側部１５との間の中央領域は股下部１６となっており、股下部１６の左右両側の領域は、インナーパッド１の装着時に、装着者の脚周りに位置することとなる脚周り部１７となっている。
【００２０】
表面シート１１は、有孔または無孔の不織布や、多孔性プラスチックシートなどにより形成されている。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
表面シート１１に多数の透孔を形成した場合には、体液がより速やかに吸収されるようになり、ドライタッチ性に優れたものとなる。
【００２１】
裏面シート１２は、ポリエチレン等の少なくとも遮水性を有するシート材により形成されている。また、ムレ防止の観点から透湿性を有するシート材であることが好ましく、この遮水性と透湿性とを具備するシート材としては、ポリエチレンやポリプロピレン等のオレフィン系樹脂中に無機充填剤を溶融混練してシートを成形した後、一軸または二軸方向に延伸することにより得られる微多孔性シート材が好適に用いられる。
【００２２】
この裏面シート１２の外面は、図３に示すように、Ｘ方向における中央部Ｍと、中央部Ｍを挟んで一方の領域１２Ａと他方の領域１２Ｂとに、区分される。
一方の領域１２Ａ及び他方の領域１２Ｂには、それぞれ、粘着剤が塗布された粘着部Ｓと、離型処理された離型部Ｔと、が幅方向に沿って交互に形成されており、一方の領域１２Ａと他方の領域１２Ｂとは、互いに止着・剥離自在となっている。
【００２３】
具体的には、一方の領域１２Ａには、Ｘ方向に沿った３つの粘着部Ｓ１、Ｓ２、Ｓ３と、当該３つの粘着部Ｓ１、Ｓ２、Ｓ３を挟んで設けられた２つの離型部Ｔ１、Ｔ２と、が備えられている。また、他方の領域１２Ｂには、Ｘ方向に沿った２つの粘着部Ｓ４、Ｓ５と、当該２つの粘着部Ｓ４、Ｓ５を挟んで設けられた３つの離型部Ｔ３、Ｔ４、Ｔ５と、が備えられている。
そして、図５、６に示すように、裏面シート１２を内側にして本体部１０を折り曲げた際に、一方の領域１２Ａの３つの粘着部Ｓ１、Ｓ２、Ｓ３と、他方の領域１２Ｂの３つの離型部Ｔ３、Ｔ４、Ｔ５と、が対向して接している。同時に、一方の領域１２Ａの２つの離型部Ｔ１、Ｔ２と、他方の領域１２Ｂの２つの粘着部Ｓ４、Ｓ５と、が対向して接している。
従って、離型部Ｔは、未使用時（収納時）には、粘着部Ｓに設けられた粘着剤を保護する役割を成すこととなる。また、使用時には、粘着部Ｓを離型部Ｔから剥がす事によって粘着剤が塗布された粘着部Ｓが露呈され、粘着部Ｓを外装体に止着させることで本体部１０が固定されるようになっている。
【００２４】
粘着部Ｓに塗布される粘着剤は、例えば、一般的に耐久性において優れた性質をもっているポリアクリル酸エステルを主体としたアクリル系接着剤や、天然ゴム、合成ゴムの弾力性成分と粘着付与剤が主成分で、これに可塑剤、老化防止剤などが配合されているゴム系接着剤などを使用することが出来、またそれ以外にホットメルト接着剤などの既知の接着剤も使用可能である。
また、離型部Ｔに塗布される剥離剤としては、例えば、シリコーン系、フッ素系、イソシアネート系等のものが好ましく用いられる。特に、シリコーン樹脂系のものを裏面シート１２のシート基材に塗布して加熱乾燥するか、スプレーで吹きつけ薄い被膜を形成させる等して用いるのが好ましい。
【００２５】
また、裏面シート１２の幅方向の端部は、図４に示すように、それぞれ裏面シート１２の内側へ向けて折り返されて、表面シート１１を挟み込むようになっている。そして、裏面シート１２が折り返される折り返し部１２１に、ホットメルトなどの接着剤からなる接着剤層（図示省略）が備えられており、折り返されて積層された裏面シート１２同士を接着している。
なお、裏面シート１２の幅方向の端部は、それぞれ表面シート１１と反対面側の裏面側へ折り返してもよい。
【００２６】
吸収体１３は、インナーパッド１の使用時に、体液としての尿等の水様成分を吸収するものであり、綿やパルプ等の吸収性素材や、高吸水性樹脂（ＳＡＰ；Super Absorbent Polymer）や、繊維或いはフィルム等のシート状基材とを組み合わせて形成される。
吸収体１３は、本体部１０の腹側部１４側から背側部１５側に亘る長さに形成され、この吸収体１３の長手方向（Ｘ方向）中央部における幅方向（Ｙ方向）両端部には、円弧状の切り欠き１８、１８が形成されている。
つまり、吸収体１３の略中央部である股下部１６に相当する部分は、吸収体１３の腹側部１４や背側部１５に相当する部分より、幅が狭く形成されている。
このように、吸収体１３の股下部１６に相当する部分に、円弧状の切り欠き１８、１８を形成することにより、未使用時（収納時）に本体部１０を２つに折り曲げた際に、折り曲げ易く、また、本体部１０を人体に装着した際に、人体の股下（そけい部）に対して吸収体１３がフィットしやすくなっている。
【００２７】
ギャザーシート２０、２０は、本体部１０における表面シート１１側に折り返された裏面シート１２に、腹側部１４から背側部１５に亘って備えられている。このギャザーシート２０、２０は、不透液性のシートを二つ折りにし、折り合わされた面を、例えば、ホットメルトやヒートシール等により固着させることにより形成されている。ギャザーシート２０において、その不透液性のシートを二つ折りにした折り返し部分側の端部を自由端部２０ａ、裏面シート１２に固定される端部を固定端部２０ｂとする。
このギャザーシート２０の自由端部２０ａには、ギャザーシート２０の長手方向に沿って、複数の糸ゴム、ポリウレタン繊維等の弾性部材２１が略平行に備えられている。このギャザーシート２０、２０が本体部１０に固定された状態において、自由端部２０ａが本体部１０から立設することにより、立体ギャザーが形成される。そして、この弾性部材２１により立体ギャザーは、着用者の体型に合わせて伸縮自在に変形し、着用者にフィットしやすい構造となっている。
なお、ギャザーシート２０の固定端部２０ｂは、裏面シート１２が折り返された折り返し部１２１において、表面シート１１側と反対側の面に固定されている。
【００２８】
このように、本体部１０のＹ方向の縁部において、表面シート１１側の面にＸ方向に沿って立設するギャザーシート２０、２０が設けられているので、排出された体液のうち、表面シート１１から吸収体１３に吸収されきれず、本体部１０の幅方向の縁部側へ流出した体液が一度止められ、長手方向にその流れを拡散するなどして、吸収体１３へ吸収させることにより、体液の横漏れを防ぐ効果が期待できる。
特に、ギャザーシート２０は、裏面シート１２が表面シート１１側に折り返された折り返し部１２１に固定されているので、ギャザーシート２０とともに裏面シート１２が体液を塞き止めることができるこことなって、より体液の横漏れを防ぐことができるようになっている。
【００２９】
次に、作用について説明する。
インナーパッド１の本体部１０は、裏面シート１２が内側となるよう２つに折り曲げられて図示しない包装体に収容されている。このとき、一方の領域１２Ａの粘着部Ｓ及び離型部Ｔが、それぞれ、他方の領域１２Ｂの離型部Ｔ及び粘着部Ｓと対向して接着した状態とされるので、離型部Ｔが、未使用時において、粘着部Ｓに設けられた粘着剤を保護することとなる。
【００３０】
また、インナーパッド１の本体部１０は、使用に際して、裏面シート１２の領域１２Ａと領域１２Ｂとが剥離されて展開する。このとき、本体部１０のＹ方向の縁部において、表面シート１１側の面にＸ方向に沿って立設するギャザーシート２０、２０が設けられているので、２つに折り曲げられて収納された本体部１０を展開させた際に、ギャザーシート２０、２０によって表面シート１１が内側となるように付勢されることとなる。
特に、図７に示すように、本実施形態においては、本体部１０は、未使用時に表面シート１１が外側となるように折り曲げられているため、展開した際にギャザーシート２０、２０による付勢力と打ち消しあって、本体部１０は略水平に展開されることとなる。
【００３１】
以上のように、本実施形態によるインナーパッド１によれば、本体部１０は、未使用時に、裏面シート１２が内側となるよう２つに折り曲げられ、一方の領域１２Ａの粘着部Ｓ１、Ｓ２、Ｓ３と他方の領域１２Ｂの離型部Ｔ３、Ｔ４、Ｔ５とが対向して接した状態とされ、使用時に、対向した一方の領域１２Ａと他方の領域１２Ｂとを展開させた場合、ギャザーシート２０、２０により表面シート１１が内側となるように付勢されることとなる。
このため、剥離紙等の別部材を使用することなく収容することができるので、剥離紙を剥がし廃棄するという手間を低減することができる。また、剥離紙のコストを削減することができる。
また、本体部１０は、使用時には収容時の折りぐせと反対方向の付勢力によって展開されるため、水平になり易く、使用に際して取り付け性を良好にすることができる。
また、本体部１０は、２つに折り曲げられた構成であるため、一箇所を開くだけで完全に展開することとり、展開する際の手間の少ない吸収性物品とすることができる。
【００３２】
また、以上説明した本実施形態のインナーパッド１によれば、本体部１０のＸ方向中央部におけるＹ方向の両端部に、円弧状の切り欠き１８、１８が形成されている。
従って、未使用時に本体部１０を２つに折り曲げた際に、折り曲げ易く、また、本体部１０を人体に装着した際に、人体の股下（そけい部）に対して吸収体１３をフィットしやすくすることができる。
【００３３】
（第２実施形態）
次に、第２実施形態の吸収性物品について、図８〜図１０に基づいて説明する。
なお、以下の説明において、上記第１実施形態と同様の構成については同一の符号を付して、その説明を省略する。
【００３４】
本実実施形態の吸収性物品２は、吸収性本体である本体部１０ａと、左右一対のギャザーシート２０、２０と、未使用時に本体部１０ａを包装する包装シート３０と、等を備えて構成されている。
【００３５】
包装シート３０は、図８に示すように、本体部１０ａを包装するための包装用のシート材であって、本体部１０ａの表面シート１１の外面を覆うように設けられている。
具体的に、インナーパッド２の未使用時において、本体部１０ａが、表面シート１１が外面となるように２つ折りされている場合、包装シート３０は、折り曲げられた本体部１０ａを内部に収納するようにして２つに折り畳まれ、折り畳んだ状態にて対向した両側部３１、３１がシールされることで、本体部１０ａを包装している。なお、本体部１０ａを展開する際には、両側部３１、３１のシールが剥離するようになっている。
【００３６】
包装シート３０は、接着層の塗布された固定部３２にて、本体部１０ａの表面シート１１の一端部に固定されており、図９に示すように、本体部１０ａを展開した際にも、包装シート３０のＸ方向一端部は表面シート１１に固定された状態を維持するようになっている。
【００３７】
また、包装シート３０には、Ｘ方向に沿って複数の弾性部材３３が設けられており、本体部１０ａを展開した場合、図１０に示すように、包装シート３０は弾性部材３３によって展開後すぐに収縮して、表面シート１２のＸ方向一端部側に集約されることとなる。
なお、表面シート１１のＸ方向の端部は、包装シート３０のＸ方向端部より外側に突出していることが好ましい。
このように構成することで、本体部１０ａを展開した際に包装シート３０が収縮されても、収縮された包装シート３０が本体部１０ａの外部にはみ出すのを防止することができる。
【００３８】
なお、包装シート３０は、未使用時に本体部１０ａの表面シート１１の外面を保護できるものであれば厚みや材質等は特に限定されないが、着用感の観点から、極薄く形成することが好ましい。
【００３９】
また、包装シート３０は、撥水性を有するものであっても、親水性を有するものであっても良い。
具体的に、撥水性を有するものとしては、ポリエチレン等の少なくとも遮水性を有するシート材が挙げられる。また、透湿性を有するシート材であることが好ましく、この遮水性と透湿性とを具備するシート材としては、ポリエチレンやポリプロピレン等のオレフィン系樹脂中に無機充填剤を溶融混練してシートを成形した後、一軸または二軸方向に延伸することにより得られる微多孔性シート材が好適に用いられる。
包装シート３０を、撥水性を有するシート材にて形成した場合、表面シート１１上で体液が人体の前方に亘った場合にせき止めることができるので、包装シート３０を漏れ防止シートとして利用することができる。
【００４０】
また、親水性を有するものとしては、有孔または無孔の不織布や、多孔性プラスチックシートなどにより形成されている。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
包装シート３０を、親水性を有するシート材にて形成した場合、表面シート１１上で体液が人体の前方に亘った場合に吸収することができるので、包装シート３０を吸収を促進させる補助シートとして利用することができる。
【００４１】
以上のように、本実施形態によるインナーパッド２によれば、第１実施形態と同様の効果が得られるには勿論のこと、包装シート３０が表面シート１１に固定され、本体部１０ａを展開した場合、この包装シート３０は弾性部材３３によって自然に収縮して集約されるため、包装シート３０を剥がして廃棄するという手間を低減することができる。
【００４２】
また、以上説明した本実施形態のインナーパッド２によれば、表面シート１１のＸ方向端部は、包装シート３０のＸ方向端部より外側に突出している。
従って、本体部１０ａを展開した際に、表面シート１１の包装シート３０より突出した部分に、収縮された包装シート３０が集約することとなって、コンパクトである。
【００４３】
また、以上説明した本実施形態のインナーパッド２によれば、包装シート３０は、撥水性を有している。この場合、包装シート３０を漏れ防止シートとして利用することができる。
【００４４】
また、以上説明した本実施形態のインナーパッド２によれば、包装シート３０は、親水性を有している。この場合、包装シート３０を吸収補助シートとして利用することができる。
【００４５】
なお、本発明は、上記第１、第２実施形態に限定されるものではなく、具体的な細部の構造について適宜変更可能であるのは勿論である。
例えば、粘着部Ｓ及び離型部Ｔは、裏面シート１２を折り曲げた際に、２つの領域１２Ａ、１２Ｂが互いに合致しあうものであれば、その数や形状は限定されない。例えば、上記第１、第２実施形態においては、粘着部Ｓ及び離型部ＴはＸ方向に沿うものとして説明しているが、Ｙ方向に沿うように形成することとしても良い。また、粘着部Ｓ及び離型部Ｔの数は４つ以上であっても良い。
また、上記第１、第２実施形態においては、裏面シート１２は、不透液性を有するシート材により形成されていることとして説明しているが、透液性を有するシート材を用いても良い。
【００４６】
また、上記第１、第２実施形態においては、吸収性物品としてインナーパッドを例示して説明したが、本発明はこれに限定されるものではなく、例えば、生理用ナプキン等に適用しても良い。
【符号の説明】
【００４７】
１、２  インナーパッド（吸収性物品）
１０、１０ａ  本体部（吸収性本体）
１１  表面シート
１２  裏面シート
Ｍ  中央部
１２Ａ  領域
Ｓ（Ｓ１、Ｓ２、Ｓ３）  粘着部
Ｔ（Ｔ１、Ｔ２）  離型部
１２Ｂ  領域
Ｓ（Ｓ４、Ｓ５）  粘着部
Ｔ（Ｔ３、Ｔ４、Ｔ５）  離型部
１２１  折り返し部
１３  吸収体
１４  腹側部
１５  背側部
１６  股下部
１７  脚周り部
１８  切り欠き
２０  ギャザーシート
２０ａ  自由端部
２０ｂ  固定端部
２１  弾性部材
３０  包装シート
３１  側部
３２  固定部
３３  弾性部材
【図１】
0005405255.tif 000002
【図２】
0005405255.tif 000003
【図３】
0005405255.tif 000004
【図４】
0005405255.tif 000005
【図５】
0005405255.tif 000006
【図６】
0005405255.tif 000007
【図７】
0005405255.tif 000008
【図８】
0005405255.tif 000009
【図９】
0005405255.tif 000010
【図１０】
0005405255.tif 000011